(57)【要約】【課題】櫛歯部と植毛部とを並設させた刷毛部を有する染毛用塗布具において、塗布性を向上させ、適量の染毛剤刷毛部に容易に載せられるようにする。【解決手段】櫛歯１２が列設してなる櫛歯部１１と、該櫛歯部１１の両側に設けられたブラシ毛１４の植毛部１３とからなる刷毛部１０を有する染毛用塗布具１Ａにおいて、ブラシ毛１４の高さを櫛歯１２の高さよりも高くする。また櫛歯部１１の片側の植毛部１３の長手方向の幅の全長に亘ってブラシ毛の高さ１０ｍｍの位置に押板２０を当て、ブラシ毛１４を該ブラシ毛１４の起立方向と垂直に植毛部から櫛歯部の方向に押圧した場合に、押圧位置でのブラシ毛の変位量ｘを２．５〜５．５ｍｍとするために要する押圧力が、植毛部の幅１０ｍｍあたり０．７〜１．３Ｎとなるように、ブラシ毛１４の素材、ブラシ毛１４の太さ、ブリッスル１５の植毛穴の径等を定める。【選択図】図１
2005305139.tif 000002
【特許請求の範囲】
【請求項１】
櫛歯が列設してなる櫛歯部と、櫛歯列に沿って櫛歯部の両側に設けられたブラシ毛の植毛部とからなる刷毛部を有する染毛用塗布具であって、
ブラシ毛の高さが櫛歯の高さよりも高く、
ＪＩＳ  Ｋ７１８１−１９９４に準じて、櫛歯部の片側の植毛部の長手方向の幅の全長に亘ってブラシ毛の高さ１０ｍｍの位置に押板を当て、ブラシ毛を該ブラシ毛の起立方向と垂直に植毛部から櫛歯部の方向に押圧した場合に、押圧位置でのブラシ毛の変位量を２．５〜５．５ｍｍとするために要する押圧力が、植毛部の幅１０ｍｍあたり０．７〜１．３Ｎである染毛用塗布具。
【請求項２】
ブラシ毛の高さが８〜１２ｍｍであり、櫛歯の高さがブラシ毛の高さよりも３〜５ｍｍ低い請求項１記載の染毛用塗布具。
【請求項３】
植毛部が櫛歯部の全周に設けられている請求項１または２記載の染毛用塗布具。
【請求項４】
刷毛部の先端部において、植毛部の領域が刷毛部の先端方向に拡大している請求項１〜３のいずれかに記載の染毛用塗布具。
【請求項５】
刷毛部の先端部の植毛部において、ブラシ毛の植毛密度が高くなっている請求項１〜４のいずれかに記載の染毛用塗布具。
【発明の詳細な説明】
【技術分野】
【０００１】
本発明は、櫛歯部と植毛部を備えた染毛用塗布具に関する。
【背景技術】
【０００２】
板状の柄の一端部に、柄と一体に樹脂成型した櫛部を設け、その櫛部の背面に刷毛部を設け、柄の他端部にスライス棒を設けた染毛用櫛が知られている（特許文献１）。この染毛用櫛の刷毛部は、太毛部とその周囲に設けられた細毛部とからなり、これらは櫛部よりも軟らかい樹脂で成型されている。この染毛用櫛の使用方法としては、刷毛部の中央部の太毛部にクリーム状の染毛剤を載せて毛髪に塗布し、次いで櫛部で毛髪を梳いて染毛剤を毛髪全体にいきわたらせる。
【０００３】
また、染毛用櫛としては、板状の柄の一端部に、柄と一体に樹脂成型した櫛部を設け、その櫛部の背面に、ブラシ毛を植毛したブラシ部を設けたものが知られている（特許文献２）。
【０００４】
さらに、櫛部とブラシ部を並設し、ブラシ部の毛の長さを櫛部の櫛歯の長さよりも短くしたものが提案されている（特許文献３）。この櫛の使用方法としては、櫛部とブラシ部との段差部分にペースト状の染毛剤を載せ、櫛で梳くことにより毛髪に剤を塗布する。
【０００５】
【特許文献１】特開２０００−１６６６３５号公報
【特許文献２】特開平１０−７１０２０号公報
【特許文献３】実開平６−４１６０２号公報
【発明の開示】
【発明が解決しようとする課題】
【０００６】
しかしながら、特許文献１に記載の染毛用櫛は、刷毛部の太毛部と細毛部が双方とも樹脂成型により作られているので刷毛部の柔軟性が不足し、刷毛部で染毛剤を毛髪に塗布する際に染毛剤がはねる場合があり、染毛作業がやり難いものとなっている。
【０００７】
これに対して、特許文献２に記載の染毛用櫛は、ブラシ部が植毛したブラシ毛のみからなるので、ブラシ部で染毛剤を毛髪に塗布する際に、染毛剤のはねは防止できるが、塗布したい部位の根元を露出させておかないと、染毛剤を毛髪の根元に塗りにくい。
【０００８】
特許文献３に記載の櫛は、樹脂成型した櫛歯からなる櫛部と、植毛したブラシ毛からなるブラシ部とを並設させているので、その分、塗布性が向上するが、さらに塗布性を改善することが求められている。また、染毛剤を載せる部位が櫛部とブラシ部との段差部分という狭い領域であるため、染毛剤を載せにくい。
【０００９】
そこで、本発明は、櫛歯からなる櫛歯部と、植毛したブラシ毛からなる植毛部とを並設させた刷毛部を有する染毛用塗布具において、よりいっそう塗布性を向上させ、また、適量の染毛剤を容易に載せられるようにすることを目的とする。
【課題を解決するための手段】
【００１０】
本発明者は、櫛歯からなる櫛歯部と、植毛したブラシ毛からなる植毛部とを並設させた刷毛部を有する染毛用塗布具において、櫛歯列に沿って櫛歯部の両側に植毛部を設け、かつ櫛歯部の櫛歯よりも植毛部のブラシ毛の高さを高くし、櫛歯部が植毛部で挟まれた凹部となるようにすると、その凹部に適量の染毛剤を容易に載せられること、また、植毛部に特定のしなり度合いを持たせると、染毛剤の毛髪への塗布性を著しく改善できることを見出した。
【００１１】
即ち、本発明は、櫛歯が列設してなる櫛歯部と、櫛歯列に沿って該櫛歯部の両側に設けられたブラシ毛の植毛部とからなる刷毛部を有する染毛用塗布具であって、ブラシ毛の高さが櫛歯の高さよりも高く、櫛歯部の片側の植毛部の長手方向の幅の全長に亘ってブラシ毛の高さ１０ｍｍの位置に押板を当て、ブラシ毛を該ブラシ毛の起立方向と垂直に植毛部から櫛歯部の方向に押圧した場合に、押圧位置でのブラシ毛の変位量を２．５〜５．５ｍｍとするために要する押圧力が、植毛部の幅１０ｍｍあたり０．７〜１．３Ｎである染毛用塗布具を提供する。
【発明の効果】
【００１２】
本発明の染毛用塗布具によれば、刷毛部において、櫛部と植毛部が並設し、かつ植毛部が特定のしなり度合いを有しているので、毛髪に対する染毛剤の塗布性が著しく向上したものとなる。
【００１３】
また、この刷毛部では、櫛部が植毛部に挟まれた凹部となるので、刷毛部に適量の染毛剤を容易に載せることができる。
【発明を実施するための最良の形態】
【００１４】
以下、図面を参照しつつ、本発明を詳細に説明する。なお、各図中、同一符号は同一または同等の構成要素を表している。
【００１５】
図１は、本発明の染毛用塗布具１Ａの側面図、図２はその刷毛部１０の斜視図、図３は刷毛部１０の上面図（ａ）と断面図（ｂ）である。
【００１６】
この染毛用塗布具１Ａは、板状の柄２の一端部に柄２と一体に樹脂成型した櫛部３を設け、その櫛部３の背面に刷毛部１０を設け、柄２の他端部に柄２と一体に樹脂成型したスライス部４を設けたものである。
【００１７】
刷毛部１０は、樹脂成型された櫛歯１２が列設してなる櫛歯部１１と、該櫛歯部１１の全周を囲むように設けられた植毛部１３からなっている。
【００１８】
櫛歯部１１の櫛歯１２は、直径１．２〜１．８ｍｍ、高さ３〜８ｍｍの柱状とすることが好ましい。櫛歯１２の配列は、その径に応じて、図示したように２列に配置してよく、１列あるいは３列以上に配置してもよい。
【００１９】
植毛部１３では、ブラシ毛１４が束状に植毛されたブリッスル１５が、櫛歯列に沿ってその櫛歯部１１の両側に列設し、さらに櫛歯列の両端部側にも列設し、櫛歯部１１を囲んでいる。植毛部１３のブラシ毛１４の高さは、櫛歯１２の高さよりも高い。したがって、刷毛部１０の外形は、中央部の櫛歯部１１がその周囲の植毛部１３に対して凹んだ形状となっている。よって、この染毛用塗布具１Ａを用いて染毛剤を毛髪に塗布する際には、刷毛部１０の凹みに適量のペースト状の染毛剤を容易に載せることができ、それを毛髪に塗布するまで安定的に保持することが可能となる。なお、刷毛部１０の凹みに染毛剤を容易に載せられるようにするためには、植毛部１３を、少なくとも、櫛歯列に沿って櫛歯部１１の両側に設ければよく、必ずしも櫛歯部１１の全周を囲むように設けなくてもよい。
【００２０】
ブラシ毛１４の具体的な高さＨ１としては、８〜１２ｍｍとし、櫛歯１２の高さＨ２よりも３〜５ｍｍ高くすることが好ましい。また、ブラシ毛１４としては、ポリアミド等から形成した直径０．１〜０．３ｍｍのものが好ましい。
【００２１】
ブリッスル１５は、図３に示したように、櫛歯部１１の周囲に１重に配置してもよく、また、図４に示したように、交互にずらしてもよい。交互にずらす場合、隣り合うブリッスルの間隔Ｄは、図３に示した態様と同程度とし、染毛剤が刷毛部１０の凹みに適度に保持されるようにする。
【００２２】
櫛歯部１１を挟んで対向する植毛部１３の間にペースト状の染毛剤を適量載せられるようにする点から、櫛歯部１１と並列する植毛部１３の長手方向の幅Ｌ１は３５〜５０ｍｍ、櫛歯部１１を挟む植毛部１３の間隔Ｌ２は７〜１３ｍｍとすることが好ましい。
【００２３】
この染毛用塗布具１Ａは、植毛部１３のしなり度合いに関し、図５に示すように、櫛歯部１１の片側の植毛部１３の長手方向の幅の全長に亘って、ブラシ毛１４の高さ１０ｍｍの位置に厚さ１ｍｍ程度の押板２０を線接触するように当て、矢印で示すように、ブラシ毛１４の起立方向と垂直に、植毛部１３から櫛歯部１１の方向にブラシ毛１４を押圧して弾性変形させた場合に、押圧位置でのブラシ毛１４の変位量ｘを２．５〜５．５ｍｍとするために要する押圧力が、植毛部の幅１０ｍｍあたり０．７〜１．３Ｎとなるようにしている。この植毛部１３のしなり度合いは、複数のブリッスル１５からなる植毛部１３を一つの弾性体の梁として捉え、そのしなり具合を特定の範囲に限定したもので、この限定により、刷毛部１０の櫛歯部１１に染毛剤を載せてそれを毛髪に塗布するときに、染毛剤がはねることを防止でき、かつ、植毛部１３で染毛剤を毛髪の根元方向に押し込みつつ櫛歯部１１で毛髪を梳くことが可能となり、さらに、植毛部１３で染毛剤を毛髪全体に塗り広げることが可能となる。
【００２４】
植毛部１３のしなり度合いについて、植毛部１３の幅１０ｍｍあたりの変位量ｘと押圧力との関係は、具体的には、ＪＩＳ  Ｋ７１８１−１９９４に準じて測定することができる。即ち、圧縮試験機を２０ｍｍ／ｍｉｎの押圧速度（移動速度）で用いてブラシ毛の押圧力を測定した場合の、押板２０がブラシ毛１４に当接してから１０ｍｍ押す間の最大値から求める。なお、押板２０を当てる植毛部１３の外形が曲面の場合には、その曲面に沿った押板２０を当てて変位量ｘと押圧力との関係を求める。
【００２５】
植毛部１３のしなり度合いは、ブラシ毛１４の素材、ブラシ毛１４の太さ、ブリッスル当たりのブラシ毛１４の植毛本数、ブリッスル１５の植毛穴の径、植毛穴のピッチ等に依存する。したがって、本発明においては、植毛部１３のしなり度合いが上述の範囲となるように、これらを適宜設定する。例えば、ブラシ毛１４の素材にポリアミドを使用し、ブラシ毛１４の太さを０．２ｍｍ、ブリッスル当たりのブラシ毛１４の植毛本数を３０本、ブリッスル１５の植毛穴の径を１．４ｍｍ、植毛穴のピッチを３ｍｍとした場合に、好ましいしなり度を得ることができる。これに対し、例えば、ブラシ毛の長さ、太さ、植毛本数、植毛穴ピッチを同じにし、弾性率の低いブラシ毛素材を使用すると、植毛部がしなりやすくなり、染毛剤を塗り広げにくくなる。逆に、弾性率の高いブラシ毛素材を使用すると、植毛部が固くてしなりにくくなり、塗布中に剤が飛散してしまう等の問題が発生しやすい。同様に、植毛部の剛性を低くする構成、例えば、ブラシ毛の太さを細くする、植毛本数を減らす、植毛穴ピッチを広げる等を実施すると、植毛部がしなりやすくなり、染毛剤を塗り広げにくくなる。一方、植毛部の剛性を高くする構成、例えば、ブラシ毛の太さを太くする、植毛本数を増やす、植毛穴ピッチを狭くする等を実施すると、植毛部が固くてしなりにくくなり、塗布中に染毛剤が飛散してしまう等の問題が起こる。従って、植毛部１３が前述の特定のしなり度合いを有するように各パラメーターの選定を最適化することで、塗布しやすく、かつ剤の飛び散りが押さえられるブラシ部を得ることができる。
【００２６】
この染毛用塗布具１Ａの製造方法としては、櫛歯部１１を有する刷毛部基部１６、柄２、櫛部３及びスライス部４を一体的に樹脂成型し、得られた成型品の櫛歯部１１の周りにブラシ毛１４を植毛すればよい。ここで、成型する樹脂に、透明性の高い樹脂（例えば、透明ポリプロピレン（ＰＰ）、ポリエチレンナフタレート（ＰＥＮ）等）を使用すると、意匠性を向上させることができるので好ましい。
【００２７】
本発明の染毛用塗布具は、この他種々の態様をとることができる。例えば、上述の染毛用塗布具１Ａでは、植毛部１３として、櫛歯部１１の全周を囲む一重のブリッスル１５が設けられているのに対し、図６に示すように、刷毛部１０の先端部において、ブリッスル１５を複数列配置することにより植毛部１３ａの領域を刷毛部１０の先端方向に拡大したり、図７に示すように、刷毛部１０の先端部の植毛部１３ａにおいて、ブリッスル１５の植毛パターンを密にすることによりブラシ毛１４の植毛密度を高くしたり、図８に示すように、刷毛部１０の先端部において、植毛部１３ａの領域を刷毛部１０の先端方向に拡大し、かつこの領域のブラシ毛１４の植毛密度を高めてもよい。このように刷毛部１０の先端部において植毛部１３ａの領域を拡大したりブラシ毛１４の密度を高めたりすることにより、先端部の植毛部１３ａを用いて、はえ際や髪の根元等の部分染めを容易に行えるようになる。
この場合、図９に示すように刷毛部基部１６にくびれを設けることにより、あるいは図１０に示すように刷毛部基部１６の先端部にＲをもたせることにより、先端部の植毛部１３ａの視認性を高めてよく、さらには図１１に示すように先端部を先細に突出させて形成することにより、より細部の塗布に対応できるようにしてもよい。
また、図１２に示した染毛用塗布具１Ｂのように、柄２を、櫛部３側とスライス部４側とに分離して成型し、これらが着脱自在に嵌合するようにしてもよい。これにより、染毛用塗布具１Ｂの製品をコンパクトに梱包することができる。また、染毛用塗布具において、スライス部４は、省略してもよい。
【００２８】
さらに、刷毛部１０の櫛歯１２に染毛剤の吐出路と吐出孔を形成し、その吐出路を、染毛剤を収容したエアゾール容器、スクイズ容器等の容器と連通させ、容器内の染毛剤が櫛歯から吐出されるようにしてもよい。
【産業上の利用可能性】
【００２９】
本発明の染毛用塗布具は、染毛剤を毛髪に塗布するのために有用となる。
【図面の簡単な説明】
【００３０】
【図１】染毛用塗布具の側面図である。
【図２】刷毛部の斜視図である。
【図３】刷毛部の上面図（ａ）と断面図（ｂ）である。
【図４】刷毛部の異なる態様の上面図である。
【図５】ブラシ毛のしなり度合いの測定方法の説明図である。
【図６】染毛用塗布具の異なる態様の上面図である。
【図７】染毛用塗布具の異なる態様の上面図である。
【図８】染毛用塗布具の異なる態様の上面図である。
【図９】染毛用塗布具の異なる態様の上面図である。
【図１０】染毛用塗布具の異なる態様の上面図である。
【図１１】染毛用塗布具の異なる態様の上面図である。
【図１２】染毛用塗布具の異なる態様の側面図である。
【符号の説明】
【００３１】
１Ａ、１Ｂ    染毛用塗布具
２    柄
３    櫛部
４    スライス部
１０    刷毛部
１１    櫛歯部
１２    櫛歯
１３    植毛部
１３ａ  刷毛部の先端部の植毛部
１４    ブラシ毛
１５    ブリッスル
２０    押板
【図１】
2005305139.tif 000003
【図２】
2005305139.tif 000004
【図３】
2005305139.tif 000005
【図４】
2005305139.tif 000006
【図５】
2005305139.tif 000007
【図６】
2005305139.tif 000008
【図７】
2005305139.tif 000009
【図８】
2005305139.tif 000010
【図９】
2005305139.tif 000011
【図１０】
2005305139.tif 000012
【図１１】
2005305139.tif 000013
【図１２】
2005305139.tif 000014